(57)【特許請求の範囲】
【請求項１】
主幹ブレーカと、
主幹ブレーカの負荷側端子に一端が各々接続される複数の接続バーと、
前記接続バーの他端と各々接続され、互いに厚み方向に沿って対向して配設される長尺状の複数の導電バーと、
前記導電バーの長手方向に並設されて、導電バーに各々接続される複数の分岐ブレーカとを中空箱状の筐体内に備え、
前記接続バーの他端が、主幹ブレーカから最も離れた導電バーの端部と接続されることを特徴とする分電盤。
【請求項２】
前記接続バーは、前面に操作ハンドルが設けられる前記分岐ブレーカの後面と対向して配置されることを特徴とする請求項１記載の分電盤。
【発明の詳細な説明】
【技術分野】
【０００１】
本発明は、分電盤に関するものである。
【背景技術】
【０００２】
従来より、この種の分電盤としては、図５に示すような盤本体１内部に主幹ブレーカ２と、接続バー３０と、導電バー４と、分岐ブレーカ５とを備えたものが提供されている（例えば、特許文献１参照）。以下、図４における上下左右を基準とする。
【０００３】
まず、盤本体１は、筐体１１と図示しない蓋部とから構成され、筐体１１は矩形の底板１１ａの周縁から周壁１１ｂが略垂直に突出して一面を開口した略矩形箱状に形成され、筐体１１の開口部にはヒンジ構造を有する蓋部が覆設され開閉可能となっている。また、底板１１ａの４隅には、スペーサ６が固定されており、スペーサ６を介して筐体１１の長手方向に長尺状に形成された一対のブラケット７が配設されている。さらに、一対のブラケット７には、前後方向に複数のねじ穴７ａが設けられており、一対のブラケット７間に中板１８、１９、１０がそれぞれ所定の間隔を空けて上から順に架設され、ねじ穴７ａにねじ留めによって固定されている。
【０００４】
次に、主幹ブレーカ２は、前面に操作部であるハンドル部２ｃを突出し、後面を中板１８、１９に対向させてねじ留めにより中板１８、１９に固定され、３極の２次端子２ｂには接続バー３０の一端が各々接続される。
【０００５】
３つの導電バー４は、長手方向に沿って６つの略矩形状の通気孔４ａが穿設された長尺板状に形成される。そして、導電バー４の一端に設けられた樹脂等の非導電性材料から形成された支持部材１４及び、導電バー４の他端に設けられた樹脂等の導電性材料から形成された一対の支持台１５により、互いに厚み方向に沿って隙間を介して対向して配設され、長手方向を筐体１１の長手方向に向けて中板１０の略中央に配置される。また、接続バー３０の他端と導電バー４の一端が、支持部材１４でねじ１６によりそれぞれ共締めされることで接続され、各導電バー４は、主幹ブレーカ２の２次端子２ｂに電気的に接続される。
【０００６】
また、導電バー４の長手方向に沿った各側縁には、分岐ブレーカ５が１２個ずつ長手方向に沿って配設される。分岐ブレーカ５は、前面に操作部であるハンドル部５ｄを突出し、後面を中板１０に対向させて、図示しない２極の端子部が導電バー４にプラグイン接続された後、中板１０に固定される。
【０００７】
また、一対のブラケット７の内、右側のブラケット７の上下両端近傍にはヒンジ部材２０がそれぞれ設けられ、左側のブラケット７の上下両端近傍には受け部材２１が設けられ、図示しない中蓋が、ヒンジ部材２０によって開閉可能な状態で設けられる。ここで、中蓋には、所定の位置に複数の逃がし穴が穿設されているため、中蓋が閉じられている際にも、主幹ブレーカ２のハンドル部２ｃ及び、分岐ブレーカ５のハンドル部５ｄが中蓋の逃がし穴から突出し、ハンドル操作が可能となっている。
【特許文献１】特開２００６−００６０６４号公報
【発明の開示】
【発明が解決しようとする課題】
【０００８】
近年、分電盤の小型大容量化が進み、分電盤に設けられた主幹ブレーカ２から接続バー３０に流れる電流値が増大したことで、接続バー３０の発熱が大きくなり、導電バー４が接続バー３に接続される導電バー４の主幹ブレーカ側（上端側）周辺が高温となり、更に主幹ブレーカ２から発生した熱が導電バー４側へ伝達することで、導電バー４の主幹ブレーカ２側周辺の温度が更に上昇し、導電バー４の主幹ブレーカ２側に接続されている分岐ブレーカ５が誤作動を起こす恐れがある。
【０００９】
本発明は、上記事由に鑑みてなされたものであり、その目的は、導電バーの主幹ブレーカ側周辺の温度上昇を抑制し、導電バーの主幹ブレーカ側に接続された分岐ブレーカの誤作動を防止した分電盤を提供することにある。
【課題を解決するための手段】
【００１０】
請求項１の発明は、主幹ブレーカと、主幹ブレーカの負荷側端子に一端が各々接続される複数の接続バーと、前記接続バーの他端と各々接続され、互いに厚み方向に沿って対向して配設される長尺状の複数の導電バーと、前記導電バーの長手方向に並設されて、導電バーに各々接続される複数の分岐ブレーカとを中空箱状の筐体内に備え、前記接続バーの他端が、主幹ブレーカから最も離れた導電バーの端部と接続されることを特徴とする。
【００１１】
この発明によれば、接続バーと導電バーとが、主幹ブレーカから最も離れた導電バーの端部で接続され、接続バーから導電バーへ流れた電流は主幹ブレーカ側に進むに従って分流されるので、導電バーの温度上昇は、主幹ブレーカに近くなるにつれて小さくなる。従って、主幹ブレーカで発生した熱気が導電バー側へ伝達しても、導電バーの主幹ブレーカ側周辺の温度上昇を抑制することができ、導電バーの主幹ブレーカ側に接続された分岐ブレーカの誤作動を防止できる。
【００１２】
請求項２の発明は、請求項１の発明において、前記接続バーは、前面に操作ハンドルが設けられる前記分岐ブレーカの後面と対向して配設されることを特徴とする。
【００１３】
この発明によれば、接続バーが筐体の側壁近傍等に配設される場合と比べて、分岐ブレーカの後面に対抗して配設された方が、接続バーの全長を短くすることができ、接続バーからの発熱が抑えられ、更に接続バーを配設するために分電盤のサイズを大きくする必要がない。
【発明の効果】
【００１４】
以上説明したように、本発明では、導電バーの主幹ブレーカ側周辺の温度上昇を抑制し、導電バーの主幹ブレーカ側に接続された分岐ブレーカの誤作動を防止できるという効果がある。
【発明を実施するための最良の形態】
【００１５】
以下、本発明の実施の形態を図面に基づいて説明する。
【００１６】
（実施形態）
本実施形態における分電盤について、図１〜４を用いて説明を行う。以下、図１における上下左右を基準とし、上下左右方向と直交する方向を前後方向とする。
【００１７】
本実施形態における、分電盤は、盤本体１と、盤本体１内部に配設される主幹ブレーカ２と、主幹ブレーカ２に一端が各々接続される３つの接続バー３と、接続バー３の他端が各々接続され、１つが中性極用バー４Ａ（導電バー４Ａ）、残りの２つが電圧極用バー４Ｂ（導電バー４Ｂ）、電圧極用バー４Ｃ（導電バー４Ｃ）に用いられる３つの導電バー４と、樹脂等の非導電性材料から形成されて３つの導電バー４の一端がそれぞれ絶縁された状態で支持される支持部材１４と、樹脂等の非導電性材料から形成されて導電バー４の他端がそれぞれ絶縁された状態で支持される支持台１５と、２極の端子部が設けられて中性極用バー３Ａと電圧極用バー３Ｂまたは３Ｃとが各極にそれぞれ接続される２４個の分岐ブレーカ５とを備える。
【００１８】
まず、盤本体１は、筐体１１と筐体１１に覆設される蓋部１２とで構成され、筐体１１は、矩形の底板１１ａの周縁から周壁１１ｂが略垂直に突出して一面を開口した略矩形箱状に形成されており、開口面にはヒンジ構造を有する蓋部１２が覆設されて開閉可能となっている。また、底板１１ａの四隅には、樹脂等により略円筒状に形成されたスペーサ６が固定されており、上下方向に長い一対の長尺状のブラケット７がスペーサ６を介して配設されている。ブラケット７には、上下方向に沿って、前後方向に複数のねじ穴７ａが設けられ、一対のブラケット７間の上方には、上から順に所定の間隔を空けて中板８，９が直接架設されてねじ穴７ａにねじ留めによって固定される。そして、中板８，９には、主幹ブレーカ２が配設される。
【００１９】
主幹ブレーカ２は、一端に、図示しない３線式の電源線が接続されて１００／２００Ｖの電源が供給される３極の１次端子２ａ１、２ａ２、２ａ３が等間隔に設けられており、中央の１次端子２ａ１は外部電源からの中性線が接続される中性極で、その両側の１次端子２ａ２（左側）、２ａ３（右側）は外部電源からの電圧線が接続される電圧極となっている。そして、主幹ブレーカ２の他端には、接続バー３を介して３つの導電バー４にそれぞれ接続される３極の２次端子２ｂ１、２ｂ２、２ｂ３が等間隔に設けられており、中央の２次端子２ｂ１は中性極で、その両側の２次端子２ｂ２（左側）、２ｂ３（右側）は電圧極である。また、主幹ブレーカ２の前面の略中央には、１次端子２ａ１、２ａ２、２ａ３と２次端子２ｂ１、２ｂ２、２ｂ３との端子間の導通、遮断を切り替える操作ハンドル部２ｃが設けられており、後面は中板８，９に対向して配設され、１次端子側は中板８にねじ留めにより固定され、２次端子側は中板９にねじ留めにより固定される。
【００２０】
次に、前記一対のブラケット７の下方には、一方片１７ａと、他方片１７ｂ、と一方片１７ａ及び他方片１７ｂを接続する連結部１７ｃとから断面略コの字状に形成される支持部材１７がそれぞれ取り付けられている。支持部材１７の一方片１７ａには、上下方向に沿って、前後方向に複数のねじ穴１７ｄが複数設けられ、一対の支持部材１７間には、中板１０が架設されてねじ穴１７ｄにねじ留めによって固定される。つまり、中板１０は、支持部材１７を介した分だけ、前記中板８，９よりも前方に配設される。そして、中板１０には、導電バー４と支持部材１４と支持台１５と分岐ブレーカ５とが配設される。
【００２１】
また、中板１０の後面側には、上下方向に所定の間隔を空けて２つの支持板１３が一対のブラケット７間に架設されており、２つの支持板１３は、中板８，９よりも後方に位置する。
【００２２】
導電バー４は、銅等の平角導体から電流容量に応じた幅の長尺状に形成されて、下端に短手方向に沿ってねじ１６が挿通する２つの図示しない挿通孔が設けられ、３つの導電バー４Ａ，４Ｂ，４Ｃは、互いに厚み方向に沿って隙間を介して対向して配設され、長手方向を筐体１１の長手方向に向けて中板１０の略中央に配設される。ここで、中性極用バー４Ａは、電圧極用バー４Ｂと４Ｃとの間に配設され、電圧極用バー４Ｂが筐体１０の開口面に最も近い側に配設される。さらに、中性極用バー４Ａは、接続バー３Ａを介して主幹ブレーカ２の２次端子２ｂ１（中性極）に接続され、電圧極用バー４Ｂ、４Ｃはそれぞれ接続バー３Ｂ，３Ｃを介して主幹ブレーカ２の２次端子２ｂ２、２ｂ３（電圧極）に各々接続される。そして、各導電バー４の長尺方向の下端は、支持部材１４に支持固定され、上端は一対の支持台１５によって支持固定される。加えて、３つの導電バー４Ａ、４Ｂ，４Ｃはそれぞれ長さが異なり、導電バー４Ｃ、４Ａ、４Ｂの順に長く、各導電バー４の上端は上下方向で揃えて配設され、導電バー４Ａの下端は導電バー４Ｂの下端よりも下方に突出しており、導電バー４Ｃの下端は導電バー４Ａの下端よりも下方に突出している。
【００２３】
支持部材１４は、導電バー４の下端に配設され、導電バー４の下端がそれぞれ厚み方向に隙間を介して支持され、導電バー４の下端と接続バー３の他端とが、ねじ１６に共締めされることで電気的に接続される。
【００２４】
支持台１５は、導電バー４の上端に配設され、各導電バー４の上端がそれぞれ厚み方向に隙間を介して支持され、分離絶縁される
分岐ブレーカ５は、一端側側面に導電バー４が嵌合する３つの切り欠き部５ａを備え、その内の２つに導電バー４と接続される電源端子部５ｂが設けられる。そして、分岐ブレーカ５の他端側側面には外部負荷等に接続される２つの負荷側端子部５ｃを備える。また、分岐ブレーカ５の前面には、電源側端子部５ｂと負荷側端子部５ｃとの端子間を導通、遮断する操作ハンドル部５ｄが設けられている。さらに、分岐ブレーカ５は、導電バー４の長尺方向に沿って導電バー４の各長辺側に電源端子部５ｂを対向させた状態で１２個ずつ並設されており、電源端子部５ｂの２つの電極にはそれぞれ導電バー４の中性極用バー４Ａと電圧極用バー４Ｂまたは４Ｃとがプラグイン接続される。
【００２５】
そして上記のように、支持部材１７を介してブラケット７に固定された中板１０が、ブラケット７に直接固定された中板８，９よりも前方に設けられているため、中板１０に配設された分岐ブレーカ５は、中板８，９に配設された主幹ブレーカ２よりも前方に位置する。
【００２６】
さらに、分岐ブレーカ５にプラグイン接続される導電バー４Ａ，４Ｂ，４Ｃと、主幹ブレーカ２の２次端子２ｂ１、２ｂ２、２ｂ３とをそれぞれ接続する３つの接続バー３は、図４に示す通り、主幹ブレーカ２の２次端子部２ｂ１と導電バー４Ａとを接続する接続バー３Ａと、主幹ブレーカ２の２次端子２ｂ２と導電バー４Ｂとを接続する接続バー３Ｂと、主幹ブレーカ２の２次端子２ｂ３と導電バー４Ｃとを接続する接続バー３Ｃとから構成される。
【００２７】
まず、接続バー３Ａは、主幹ブレーカ２の２次端子２ｂ１に接続される第一の接続部３１と、上下方向に長い長尺板状に形成されて上端が第一の接続部３１と接続されるバー本体３２Ａと、バー本体３２Ａの下端と導電バー３Ａとを接続する第二の接続部３３とを備え、第一の接続部３１は、主幹ブレーカ２の２次端子部２ｂ１に接続される接続部３１ａと、接続部３１ａの下端から後方へ向けて延設される延設部３１ｂと、延設部３１ｂの先端とバー本体３２Ａとを接続する接続部３１ｃとから形成され、第二の接続部３３は、バー本体３２Ａの下端に接続される接続部３３ａと、接続部３３ａの上端から斜め上前方に向けて延設される延設部３３ｂと、延設部３３ｂの先端と導電バー３Ａとを接続する接続部３３ｃとから形成される。
【００２８】
次に、接続バー３Ｂは、主幹ブレーカ２の２次端子２ｂ２に接続される第一の接続部３４と、上下方向に長い長尺板状に形成されて上端が第一の接続部３４と接続されるバー本体３２Ｂと、バー本体３２Ｂと導電バー３Ｂとを接続する第二の接続部３５とを備え、第一の接続部３４は、主幹ブレーカ２の２次端子部２ｂ２に接続される接続部３４ａと、接続部３４ａの下端から後方へ向けて延設される延設部３４ｂと、左斜め下方へ形成されて延設部３４ｂの先端とバー本体３２Ｂとを接続する接続部３４ｃとから形成され、第二の接続部３５は、バー本体３２Ｂの下端近傍に接続される接続部３５ａと、接続部３５ａの上端から前方に向けて延設される延設部３５ｂと、延設部３５ｂの先端と導電バー３Ｂとを接続する接続部３５ｃとから形成される。
【００２９】
続いて、接続バー３Ｃは、主幹ブレーカ２の２次端子２ｂ３に接続される第一の接続部３６と、上下方向に長い長尺板状に形成されて上端が第一の接続部３６と接続されるバー本体３２Ｃと、バー本体３２Ｃと導電バー３Ｃとを接続する第二の接続部３７とを備え、第一の接続部３６は、主幹ブレーカ２の２次端子部２ｂ３に接続される接続部３６ａと、接続部３６ａの下端から後方へ向けて延設される延設部３６ｂと、右斜め下方へ形成されて延設部３６ｂの先端とバー本体３２Ｃとを接続する接続部３６ｃとから形成され、第二の接続部３７は、バー本体３２Ｃの下端近傍に接続される接続部３７ａと、接続部３７ａの左端から前方に向けて延設される延設部３７ｂと、延設部３７ｂの先端と導電バー３Ｃとを接続する接続部３７ｃとから形成される。
【００３０】
また、上記バー本体３２Ａ、３２Ｂ，３２Ｃは、中板１０と支持板１３との間に左右方向に並んで略平行に配設され、一対の支持板１３に左右方向に略等間隔に設けられた３つの支持台２２にそれぞれ支持固定される。
【００３１】
さらに、上記接続部３３ｃ、３５ｃ、３７ｃは、一対の挿通孔３３ｄ、３５ｄ、３７ｄが左右方向に各々穿設され、前記支持部材１４において導電バー３Ａ，３Ｂ，３Ｃの下端の上面に重ねて配設される。そして、ねじ１６が、挿通孔３３ｄ、３５ｄ、３７ｄを各々挿通して支持部材１４内の図示しない各ねじ穴に螺合されることで接続部３３ｃ、３５ｃ、３７ｃは固定される。
【００３２】
そして、導電バー４Ａ、４Ｂ，４Ｃの下端の位置が、前方から見てそれぞれ異なることから、導電バー４の下端に接続される接続部３３ｃ、３５ｃ、３７ｃのねじ穴３３ｄ、３５ｄ、３７ｄは、それぞれ前後方向において重ならず、組み立てが容易となっている。
【００３３】
上記の構成により、本実施形態における分電盤においては、３つの接続バー３が中板１０の後方を中板１０と対向して略平行に配設され、主幹ブレーカ２から最も離れた導電バー４の下端にそれぞれ接続される。そのため、導電バー４に流れる電流は、下端が最大となり、上に進むに従って分流され、それに伴い導電バー４の温度上昇は、主幹ブレーカ２に近くなるにつれて小さくなる。従って、図５に示すような従来から用いられている分電盤のように、主幹ブレーカ２に最も近い導電バー４の上端に接続バー３が接続される場合と比べて、本実施形態で用いられる分電盤の導電バー４の上端近傍の温度上昇は小さくなる。
【００３４】
従って、主幹ブレーカ２で発生した熱気が導電バー４側へ伝達しても、導電バー４の主幹ブレーカ側周辺の温度上昇を抑制することができ、導電バー４の主幹ブレーカ２側にプラグイン接続される分岐ブレーカ５の誤作動を防止することができる。
【００３５】
また、導電バー４と分岐ブレーカ５とが設けられる中板１０は、支持部材１７を介してブラケット７に固定されているので、主幹ブレーカ２が設けられた中板８，９よりも前方に位置するため、図５に示す従来例に比べて導電バー４と分岐ブレーカ５とが主幹ブレーカ５から離れた位置にあり、主幹ブレーカ２で発生する熱気が導電バー４及び分岐ブレーカ５近傍に伝わり難い構造となっている。
【００３６】
なお、本実施形態で示したように、接続バー３のバー本体３２Ａ、３２Ｂ，３２Ｃが、中板１０の後方に配設されることで、バー本体３２Ａ、３２Ｂ，３２Ｃが、ブラケット７と筐体１１の周壁１１ｂとの間に配設される場合と比べ、接続バー３の全長を短くすることができ、接続バー３から発生する発熱が抑制され、更に接続バー３を配設するために筐体１１の左右方向の長さを大きくする必要もない。
【図面の簡単な説明】
【００３７】
【図１】実施形態における分電盤の正面図である。
【図２】同上における分電盤の接続バーの配置図である。
【図３】同上における分電盤のＡ−Ａ断面図である。
【図４】同上における接続バーの斜視図である。
【図５】従来例における分電盤の正面図である。
【符号の説明】
【００３８】
１  筐体
２  主幹ブレーカ
３  接続バー
４  導電バー
５  分岐ブレーカ
【図１】
0004724203.tif 000002
【図２】
0004724203.tif 000003
【図３】
0004724203.tif 000004
【図４】
0004724203.tif 000005
【図５】
0004724203.tif 000006